(57)【要約】【課題】  正しい足の発育形成を促進して、歩行の正常化と足の異常な変形を抑制する矯正フットパッドを提供する。  【解決手段】  上面１１が前方部１２，中間部１３及び後方部１４領域に分けられた中底１０と、前記中底１０の中央に向けて傾斜する傾斜面２１１，２２１，２３１，２５１，２４１を有する前足ブロック２１，２２，中足ブロック２３及び後足ブロック２５，２４からなる結合部材２０とからなり、前記結合部材２０を中底１０の各領域にそれぞれ着脱自在に設けたことを特徴とする。【選択図】  図１
0003108236.tif 000002
【実用新案登録請求の範囲】
【請求項１】
上面が前方部，中間部及び後方部領域に分けられた中底と、前記中底の中央に向けて傾斜する傾斜面を有する前足ブロック，中足ブロック及び後足ブロックからなる結合部材とからなり、前記結合部材を中底の各領域にそれぞれ着脱自在に設けたことを特徴とする矯正フットパッド。
【請求項２】
前記中底の前方部，中間部及び後方部領域にはそれぞれ取付孔を設け、該取付孔に前記結合部材に形成した凸隆部を嵌合結合するようにしたことを特徴とする請求項１に記載の矯正フットパッド。
【請求項３】
前記中底と結合部材とを止め具を介して結合するようにしたことを特徴とする請求項１に記載の矯正フットパッド。
【請求項４】
前記中底に設けられる結合部材の上部傾斜面に複数の高さ調整部材を設け、結合部材の高さ調整を可能としたことを特徴とする請求項１乃至３のいずれか１つに記載の矯正フットパッド。
【考案の詳細な説明】
【技術分野】
【０００１】
本考案は、特に、正しい足の発育形成を促進して、歩行の正常化と足の異常な変形を抑制する矯正フットパッドに関するものである。
【背景技術】
【０００２】
ヒトの足は、足根中足関節（リスフラン間接(Lisfranc)）と、横足根関節（ショパール間接(Chopart)）とで、前足部、中足部、後足部とに分けることができる。
前足部は、末梢から末節骨、中節骨、基節骨、中足骨よりなり、末節骨から基節骨までを趾骨という。第１趾の前足部において、趾骨は、末節骨と基節骨の２節でなる。なお、第４趾、第５趾も趾骨が２節のこともある。
中足部は、第１楔状骨、第２楔状骨、第３楔状骨、立方骨、舟状骨からなる。
後足部は、距骨と踵骨が交差して上下に並んだ構成となっている。
【０００３】
近年、靴にも用途や目的に応じた様々な種類があり、例えば特別な運動用に機能性を重視した靴や、更にファッション性を重視した靴がある。現代では地面が殆どアスファルト舗装やコンクリート舗装などが施してあり、歩行時に地面からの衝撃が加わり膝や足首などに負担がかかることから、靴の底部は歩行時の着地衝撃吸収構造が採用されている。
【考案の開示】
【考案が解決しようとする課題】
【０００４】
しかしながら、従来の靴における着地衝撃吸収構造は、素足と接触感が柔らかく弾力性に富んだソフトな構造となっているため、足のアーチ部（土踏まず）が正しく形成されず、いわゆる「扁平足」となり、アーチ部が正常に形成されないといった問題が生じている。
又、近年では、上記したようにアーチ部が正しく形成されないことによって第１趾の中足骨が下方へ正しく沈み込まないということに起因して、踵部分が身体中心から外側へ向いた外反扁平足、第１趾の中足骨が不安定なことに起因して生じる外反母趾、といった足の異常な変形を引き起こす事態が生じている。
又、正しい足の発育が行われないことで、身体に負担がかかっていることも問題となっている。
【０００５】
そこで、案出されたのが本考案であって、正しい足の発育形成を促進して、歩行の正常化と足の異常な変形を抑制する矯正フットパッドを提供することを目的としている。
【課題を解決するための手段】
【０００６】
本願の矯正フットパッドに係る請求項１の考案は、上面が前方部，中間部及び後方部領域に分けられた中底と、前記中底の中央に向けて傾斜する傾斜面を有する前足ブロック，中足ブロック及び後足ブロックからなる結合部材とからなり、前記結合部材を中底の各領域にそれぞれ着脱自在に設けたことを特徴とする。
【０００７】
本願の請求項２の考案は、請求項１に記載の矯正フットパッドにおいて、前記中底の前方部，中間部及び後方部領域にはそれぞれ取付孔を設け、該取付孔に前記結合部材に形成した凸隆部を嵌合結合するようにしたことを特徴とする。
【０００８】
本願の請求項３の考案は、請求項１に記載の矯正フットパッドにおいて、前記中底と結合部材とを止め具を介して結合するようにしたことを特徴とする。
【０００９】
本願の請求項４の考案は、請求項１乃至３のいずれか１つに記載の矯正フットパッドにおいて、前記中底に設けられる結合部材の上部傾斜面に複数の高さ調整部材を設け、結合部材の高さ調整を可能としたことを特徴とする。
【考案の効果】
【００１０】
本考案は上記の課題を解決するものであり、着脱自在の結合部材が中底の前方部、中間部及び後方部に設けられることにより、正しい足の発育形成を促進して、歩行の正常化と足の異常な変形を矯正することが達成できる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例１】
【００１２】
図１は本考案に係る矯正フットパッドの第１実施例を示す分解斜視図であり、図２は本考案に係る矯正フットパッドの第１実施例を示す斜視図である。
【００１３】
この考案の図１及び図２に示すように、本考案に係る矯正フットパッドは靴の中底に使用されるもので、中底１０の上面の所定位置に配設される結合部材２０から構成される。前記中底１０は扁平な上面１１と下面１５を有し、該上面１１が足裏に対応した前方部１２と中間部１３と後方部１４領域とに分けられている。又、この第１実施例では前記結合部材２０が中底１０の上面１１に取付けられているが、下面１５に設けることも可能である。
【００１４】
前記フットパッドである結合部材２０は、前記中底１０の前方部１２及び後方部１４領域にそれぞれ対峙して配設される一対の外側，内側前足ブロック２１，２２及び内側，外側後足ブロック２４，２５と、前記中底１０の土踏まずにあたる中間部１３に配設される中足ブロック２３とからなる。
【００１５】
前記一対の外側，内側前足ブロック２１，２２及び内側，外側後足ブロック２４，２５と、前記中足ブロック２３は、夫々中底１０の中央部に向けて厚さが薄くなる傾斜面が形成された上部傾斜面２１１，２２１，２４１，２５１，２３１と、結合用の凸隆部２１４，２２４，２４４，２５４，２３４が形成された底部面２１２，２２２，２４２，２５２，２３２と肉厚状態の側部面２１３，２２３，２４３，２５３，２３３とを有する。
【００１６】
前記中底１０の前方部１２と中間部１３と後方部１４領域には、夫々複数の取付孔１２１，１３１，１４１が形成されると共に、これら取付孔１２１，１３１，１４１の所望位置に前記外側，内側前足ブロック２１，２２、内側，外側後足ブロック２４，２５、及び前記中足ブロック２３の結合用の凸隆部２１４，２２４，２４４，２５４，２３４が嵌合され、結合部材２０と中底１０とが組み合わせ結合されるようになっている。
【００１７】
したがって、この構成の中底１０を利用することで、正しい足の発育形成を促進して、歩行の正常化と足の異常な変形を矯正することが達成できる。
【実施例２】
【００１８】
図３はこの考案の第２実施例を示す要部断面図である。
第２実施例においては、第１実施例に示す前記中底１０の上面１１に設けられる結合部材２０である一対の外側，内側前足ブロック２１，２２及び内側，外側後足ブロック２４，２５と、前記中底１０の土踏まずにあたる中間部１３に配設される中足ブロック２３の上面に、複数の高さ調整部材３０を積層して結合配設したものである。
【００１９】
上記構成によれば、結合部材２０の高さ（厚さ）を調整することができ、全体として中底１０を厚く高さの高いものとすることができ、正しい足の発育形成を促進して、歩行の正常化と足の異常な変形を矯正することが達成できる。
前記高さ調整部材３０は、前記外側，内側前足ブロック２１，２２、内側，外側後足ブロック２４，２５及び前記中足ブロック２３に対応する相似形状をなすものである。
【００２０】
図３は、前記外側前足ブロック２１部分の形状のみを代表して示したもので、前記高さ調整部材３０は、外側前足ブロック２１の形状に対応して中底１０の中央部に向かって外側面部３３より内側面部３３ａにかけて次第に厚さが薄くなる形状に形成される上部ブロック３０ａと下部ブロック３０ｂとからなり、上部ブロック３０ａ上部傾斜斜面３１は平坦に形成されると共に、底面部３２には、結合手段の一方となる所定の間隔で形成した複数の凸部３２ａが形成されており、下部ブロック３０ｂの上部傾斜面３５に形成した結合手段の他方となる複数の凹部３６と嵌合結合されるようになっている。
【００２１】
また、下部ブロック３０ｂの底面部３７には所定の間隔で形成した結合手段の一方となる複数の凸部３８が形成されており、前記外側前足ブロック２１の上部傾斜面２１１に形成した結合手段の他方となる複数の凹部３６ａと嵌合結合されるようになっている。さらに、前記外側前足ブロック２１は底面部２１２に所定の間隔で形成した結合手段の一方となる複数の凸部２１４を前記中底１０の形成した複数の取付孔１２１に前述の第１実施例と同様な嵌合結合することで、結合部材２０の高さを調整しかつ中底全体の高さ（厚さ）方向を調整することができる。
【実施例３】
【００２２】
図４はこの考案の第３実施例を示す要部断面図である。
第３実施例においては、第１実施例に示す前記中底１０の上面１１に設けられる結合部材２０である一対の外側，内側前足ブロック２１，２２及び内側，外側後足ブロック２４，２５，及び前記中底１０の土踏まずにあたる中間部１３に配設される中足ブロック２３を結合するための結合手段が前述の第１実施例と相違するものである。
【００２３】
この第３実施例の矯正フットパッドによれば、中底１０と各結合部材２０との当接面にそれぞれメス面４１及びオス面４０による結合となるベルベット式ファスナー４２による止め具を取り付けて、両者を互いに着脱可能に結合したものであり、上記以外の構成は、前述の第１実施例と同様であるので、同一部分には同一符号を付してその説明を省略する。なお、この実施例における中底１０には取付孔を省略してありが、取付孔を設けた中底にも適応できる。
【００２４】
上記構成によれば、中底１０と結合部材２０を止め具を介して着脱が極めて容易にできると共に、ベルベット式ファスナーを使用することで、衝撃吸収効果を奏する。
【実施例４】
【００２５】
図５はこの考案の第４実施例を示す要部断面図である。
第４実施例においては、第１実施例に示す前記中底１０の上面１１に設けられる結合部材２０である一対の外側，内側前足ブロック２１，２２及び内側，外側後足ブロック２４，２５，及び前記中底１０の土踏まずにあたる中間部１３に配設される中足ブロック２３を結合するための結合手段が前述の第１実施例と相違するものである。
【００２６】
この第４実施例の矯正フットパッドによれば、前記中底１０の上面１１と結合部材２０の下面例えば外前足ブロック２１の下面２１２に螺合孔２１８が形成され、ねじ２１９が中底１０と結合部材２０の螺合孔２１８に設けられることにより結合手段を構成し、結合部材２０と中底１０を互いに結合することができる。
【実施例５】
【００２７】
図６はこの考案の第５実施例を示す要部断面図である。
第５実施例においては、第１実施例に示す前記中底１０の上面１１に設けられる結合部材２０である一対の外側，内側前足ブロック２１，２２及び内側，外側後足ブロック２４，２５，及び前記中底１０の土踏まずにあたる中間部１３に配設される中足ブロック２３を結合するための結合手段が前述の第１実施例と相違するものである。
【００２８】
この第５実施例の矯正フットパッドによれば、前記結合部材２０と中底１０との結合効果を向上するために、結合部材２０の側面例えば外前足ブロック２１の側面２１３の下縁に中底１０を嵌合するための位置決めブロック２１５が設けられ、そして中底１０の上面１１と結合部材２０の下面例えば外前足ブロック２１の下面２１２に螺合孔２１６が形成され、ねじ２１７が中底１０と結合部材２０の螺合孔２１６に設けられることにより、結合部材２０と中底１０を組み合せることができるようにしたものである。
【実施例６】
【００２９】
図７はこの考案の第６実施例を示す全体斜視図である。
この第６実施例においては、第１実施例に示す前記中底１０の上面１１に設けられる結合部材２０である一対の外側，内側前足ブロック２１，２２及び内側，外側後足ブロック２４，２５と、前記中底１０の土踏まずにあたる中間部１３に配設される中足ブロック２３を、それぞれ前記中底１０の下面（底面）に結合配設したものであり、上記以外の構成は上述の第１実施例と同様なので、同一部分には同一符号を付してその説明を省略する。
上記構成とした場合においても、前述の実施例とほぼ等しい効果を達成することができる。
【実施例７】
【００３０】
図８はこの考案の第７実施例を示す全体斜視図である。
第７実施例においては、第１実施例に示すように上面１１にフットパッドとなる結合部材２０である一対の外側，内側前足ブロック２１，２２及び内側，外側後足ブロック２４，２５と、前記中底１０の土踏まずにあたる中間部１３に配設される中足ブロック２３を設けた中底１０を、サンダル５０の上面に設けた使用例を示すものである。
上記構成によれば、前述の実施例と同様に、正しい足の発育形成を促進して、歩行の正常化と足の異常な変形を矯正することが達成できる。
【００３１】
なお、前述の実施例においては、前方部，中間部及び後方部領域に分けられた中底１０に対し、一対の外側，内側前足ブロック２１，２２及び内側，外側後足ブロック２４，２５と、前記中底１０の土踏まずにあたる中間部１３に配設される中足ブロック２３とによって構成される結合部材２０を設けたものについて説明したが、前記一対に分離形成された外側，内側前足ブロック２１，２２及び内側，外側後足ブロック２４，２５をそれぞれ一体形成した前足ブロック及び後足ブロックとして中底の所望領域にそれぞれ着脱自在に設ける構成としても良いことは勿論である。
【産業上の利用可能性】
【００３２】
本考案は上記の構成を有するので、着脱自在の結合部材が中底の前方部、中間部及び後方部に設けられることにより、正しい足の発育形成を促進して、歩行の正常化と足の異常な変形を抑制することが達成できる。
【図面の簡単な説明】
【００３３】
【図１】本考案に係る矯正フットパッドの第１実施例を示す分解斜視図である。
【図２】本考案に係る矯正フットパッドの第１実施例を示す全体斜視図である。
【図３】本考案に係る矯正フットパッドの第２実施例を示す一部分解断面図である。
【図４】本考案に係る矯正フットパッドの第３実施例を示す一部断面図である。
【図５】本考案に係る矯正フットパッドの第４実施例を示す一部断面図である。
【図６】本考案に係る矯正フットパッドの第５実施例を示す一部断面図である。
【図７】本考案に係る矯正フットパッドの第６実施例を示す全体斜視図である。
【図８】本考案に係る矯正フットパッドの第７実施例を示す全体斜視図である。
【符号の説明】
【００３４】
１０        中底
１１        上面
１２        前方部
１２１      取付孔
１３        中間部
１３１      取付孔
１４        後方部
１４１      取付孔
１５        下面
２０        結合部材
２１        外側前足ブロック
２１１      上部傾斜面
２１２      下面
２１３      側面
２１４      凸隆部
２１５      位置決めブロック
２１６      螺合孔
２１７      ねじ
２１８      螺合孔
２１９      ねじ
２２        内側前足ブロック
２２１      上部傾斜面
２２２      下面
２２３      側面
２２４      凸隆部
２３        中足ブロック
２３１      上部傾斜面
２３２      下面
２３３      側面
２３４      凸隆部
２４        内側後足ブロック
２４１      上部傾斜面
２４２      下面
２４３      側面
２４４      凸隆部
２５        外側後足ブロック
２５１      上部傾斜面
２５２      下面
２５３      側面
２５４      凸隆部
３０        高さ調整部材
３１        上面
３２        下面
３３        側面
４０        オス面
４１        メス面
４２        ベルベット式ファスナー
５０        サンダル
６０        結合部材
【図１】
0003108236.tif 000003
【図２】
0003108236.tif 000004
【図３】
0003108236.tif 000005
【図４】
0003108236.tif 000006
【図５】
0003108236.tif 000007
【図６】
0003108236.tif 000008
【図７】
0003108236.tif 000009
【図８】
0003108236.tif 000010